(57)【要約】【課題】籾ホッパ内に、原料穀粒や返り穀粒を投入した際に発生する粉塵を除去する、作業性を向上させた籾摺選別装置を提供する。【解決手段】籾ホッパ２の側方に設けた、揺動選別部１８で選別した返り穀粒を籾ホッパ２に還元する還元通路２８内に、籾ホッパ２からの穀粒と、返り穀粒との合流部３７を設けるとともに、吸引ファン１３に接続した吸引排塵通路２９を備え、籾ホッパ２と、還元通路２８と、吸引排塵通路２９と、をカバー体２５，２７で覆設し、籾ホッパ２上面のカバー体２５には、原料穀粒を供給するシュート２６の一端部を貫設するものである。また、吸引排塵通路３８ａ，３９ａ，３８ｂ，３９ｂは、籾ホッパ２の前後板２ａ，２ｂの内側面を介してそれぞれ下方に延設する。さらに、籾ホッパ２と、吸引排塵通路２９との間には、反射板３０を備える。【選択図】図６
2009125732.tif 000002
【特許請求の範囲】
【請求項１】
籾ホッパに供給した原料穀粒を、前記籾ホッパの下方に有する籾摺ロールで摺る籾摺部と、
前記籾摺部で処理した穀粒を、吸引ファンによる風選する風選部と、
前記風選部で風選した穀粒をさらに選別する揺動選別部と、
を備える籾摺選別装置において、
前記籾ホッパの側方に設けた、前記揺動選別部で選別した返り穀粒を前記籾ホッパに還元する還元通路内に、前記籾ホッパからの穀粒と、前記返り穀粒との合流部を設けるとともに、前記吸引ファンに接続した吸引排塵通路を備え、前記籾ホッパと、前記還元通路と、前記吸引排塵通路と、をカバー体で覆設し、前記籾ホッパ上面の前記カバー体には、前記原料穀粒を供給するシュートの一端部を貫設することを特徴とする籾摺選別装置。
【請求項２】
前記吸引排塵通路は、前記籾ホッパの前後板の内側面を介してそれぞれ下方に延設することを特徴とする、請求項１に記載の籾摺選別装置。
【請求項３】
前記籾ホッパと、前記吸引排塵通路と、の間には、反射板を備えることを特徴とする、請求項１に記載の籾摺選別装置。
【発明の詳細な説明】
【技術分野】
【０００１】
本発明は、籾ホッパに供給した原料穀粒を、籾ホッパの下方に有する籾摺ロールで摺る籾摺部と、籾摺部で処理した穀粒を、吸引ファンによる風選する風選部と、風選部で風選した穀粒をさらに選別する揺動選別部と、を備える籾摺選別装置に関し、より詳細には、籾ホッパの側方に設けた、揺動選別部で選別した返り穀粒を籾ホッパに還元する還元通路内に、籾ホッパからの穀粒と、返り穀粒との合流部を設けるとともに、吸引ファンに接続した吸引排塵通路を備え、籾ホッパと、還元通路と、吸引排塵通路と、をカバー体で覆設し、籾ホッパ上面のカバー体には、原料穀粒を供給するシュートの一端部を貫設することに関する。
【背景技術】
【０００２】
従来の籾摺選別装置には、例えば、シュートなどから籾ホッパ内に投入された、前処理として乾燥させた籾などの原料穀粒が、籾摺ロールを有する籾摺部や吸引ファンを備える風選部を介して、揺動選別板による揺動選別部で最終的に籾と玄米とに選別するものがある。（特許文献１）また、前述したシュートを挿通させたカバーを籾ホッパ上面に覆設し、籾ホッパ内に原料穀粒を投入した際に発生する粉塵の周囲への拡散を防止するものもある。
【０００３】
【特許文献１】特開平５−２４５４４３号公報
【発明の開示】
【発明が解決しようとする課題】
【０００４】
しかし、このような従来の籾摺選別装置では、籾ホッパ内に、原料穀粒や、揺動選別部などからの返り穀粒を投入した際に発生する粉塵を、カバーにより周囲への拡散を防いでいるものの、これら粉塵は籾ホッパ内に堆積してしまうことから、籾ホッパ内に有する穀粒の籾摺部への供給を阻害したり、籾ホッパ内から籾摺部に落下した粉塵が籾摺部に堆積し、穀粒の籾摺作業に悪影響を与え、作業性が低下するという問題があった。
そこで、この発明の目的は、籾ホッパ内に、原料穀粒や返り穀粒を投入した際に発生する粉塵を除去する、作業性を向上させた籾摺選別装置を提供することにある。
【課題を解決するための手段】
【０００５】
このため、請求項１に記載の発明は、籾ホッパに供給した原料穀粒を、前記籾ホッパの下方に有する籾摺ロールで摺る籾摺部と、前記籾摺部で処理した穀粒を、吸引ファンによる風選する風選部と、前記風選部で風選した穀粒をさらに選別する揺動選別部と、を備える籾摺選別装置において、前記籾ホッパの側方に設けた、前記揺動選別部で選別した返り穀粒を前記籾ホッパに還元する還元通路内に、前記籾ホッパからの穀粒と、前記返り穀粒との合流部を設けるとともに、前記吸引ファンに接続した吸引排塵通路を備え、前記籾ホッパと、前記還元通路と、前記吸引排塵通路と、をカバー体で覆設し、前記籾ホッパ上面の前記カバー体には、前記原料穀粒を供給するシュートの一端部を貫設することを特徴とする。
【０００６】
請求項２に記載の発明は、前記吸引排塵通路は、前記籾ホッパの前後板の内側面を介してそれぞれ下方に延設することを特徴とする。
【０００７】
請求項３に記載の発明は、前記籾ホッパと、前記吸引排塵通路と、の間には、反射板を備えることを特徴とする。
【発明の効果】
【０００８】
請求項１に記載の発明によれば、籾ホッパに供給した原料穀粒を、籾ホッパの下方に有する籾摺ロールで摺る籾摺部と、籾摺部で処理した穀粒を、吸引ファンによる風選する風選部と、風選部で風選した穀粒をさらに選別する揺動選別部と、を備える籾摺選別装置において、籾ホッパの側方に設けた、揺動選別部で選別した返り穀粒を籾ホッパに還元する還元通路内に、籾ホッパからの穀粒と、返り穀粒との合流部を設けるとともに、吸引ファンに接続した吸引排塵通路を備え、籾ホッパと、還元通路と、吸引排塵通路と、をカバー体で覆設するとともに、籾ホッパ上面のカバー体には、原料穀粒を供給するシュートの一端部を貫設するので、籾ホッパ内に原料穀粒を投入した際や、還元通路から返り穀粒が籾ホッパ内に還元される際に発生する粉塵を機外に拡散放出させることなく吸引除去して、籾ホッパ内や籾摺部への粉塵の堆積を防止することができる。また、粉塵の吸引通路を籾ホッパ側方などに別途設ける必要がなく、コンパクトな装置にすることができる。従って、コストダウンを図るとともに、作業環境および生産性を向上させた籾摺選別装置を提供することができる。
【０００９】
請求項２に記載の発明によれば、吸引排塵通路は、籾ホッパの前後板の内側面を介してそれぞれ下方に延設するので、発生する粉塵量が多い場合にも、籾ホッパの前後２箇所に設けた吸引排塵通路から粉塵を確実に吸引除去することができるとともに、吸引排塵通路を籾ホッパの側方などに別途設けるスペースを必要とせず、コンパクトな装置にすることができる。従って、生産性を向上させた籾摺選別装置を提供することができる。
【００１０】
請求項３に記載の発明によれば、籾ホッパと、吸引排塵通路と、の間には、反射板を備えるので、籾ホッパ内に投入されて跳ねたり、吸引ファンにより吸引される原料穀粒を反射板に衝突させて籾ホッパ側に落下させ、原料穀粒の吸引排塵通路への侵入を防ぎ、粉塵だけを吸引排塵通路側に通過させることができる。従って、生産性を向上させた籾摺選別装置を提供することができる。
【発明を実施するための最良の形態】
【００１１】
以下図面を参照しつつ本発明を実施するための最良の形態について説明する。
図１は、この発明の一例としての籾摺選別装置の左側面図、図２は籾摺選別装置を左前方からみた斜視図、図３は籾摺選別装置の平面図、図４は籾摺選別装置内部の側面模式図である。
【００１２】
この例の籾摺選別装置１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃還元昇降機７が設けられる。
【００１３】
そして、図４に示すように、主軸１１ａと副軸１１ｂとからなる籾摺ロール１１ｃを有する籾摺部１１の下方には、籾摺ロール１１ｃで籾摺され、得られた粃や玄米などの混合米（混合穀粒）が通過する風選路１２ａを有する風選部１２が配設される。この籾摺ロール１１ｃ下方であって、風選路１２ａ終端下部の機体前部（側面視左端）には混合米に吸引作用する吸引ファン１３、この吸引ファン１３の後部（側面視右隣）であって、籾摺ロール１１ｃの下方には、風選路１２ａから混合米中の小米を含む粃（中間穀粒）が落下する粃排出樋１４、さらに粃排出樋１４の後部には、混合米中の籾や玄米（選別穀粒）が落下する混合米受樋１５などが列設される。なお、図１〜２は、籾摺部１１の内部が見えるようにカバー２４を開けた状態が示されたものである。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する均分樋１７を有し、この均分樋１７の下方には揺動選別部１８が備えられる。この揺動選別部１８は、均分樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
揺動選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図４に示す複数のバケット７ａを備える籾還元昇降機７に連通され、この籾還元昇降機７の上部は、籾ホッパ２に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米昇降機６が立設される。なお、ベルトに取付けられたバケット３ａ，６ａ，７ａは、それぞれ図示しない駆動モータにより回転するプーリで上下に循環される。
【００１７】
なお、符号２３は、籾摺選別装置１を運転操作する操作盤で、装置各部を駆動制御する不図示のコントローラが内臓されている。
【００１８】
ここで、籾摺選別装置１を使用して籾摺作業を行うときは、籾ホッパ２に原料穀粒である籾などを供給し、操作盤２３の図示しないスイッチにより機体各部を駆動させ、籾籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
そして、風選路１２ａで風選された比較的軽い粃（小米を含む）は、粃出口１４から排出される。一方、重量の重い玄米と籾摺を損ねた籾との混合米は受樋１５に落下し、混合米昇降機３のバケット３ａで揚穀されて混合米タンク４に供給された後、均分樋１７および分配ケース１８ａを介して揺動選別板１８ｂに供給される。なお、粃出口１４から排出された粃を、図示しない粃還元装置を介して籾還元昇降機７内に移送し、バケット７ａにより籾ホッパ２に還元してもよい。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０に落下し、受樋１５を介して再度選別部１８に搬送され、玄米は玄米用流路２１から玄米昇降機６のバケット６ａにより揚穀され、機外に取り出される。また、返り籾（返り穀粒）は籾用流路１９から流入した返り籾入口部１６ａを介して返り籾出口部１６ｂから籾還元昇降機７内に流入し、バケット７ａにより籾ホッパ２に還元され、再度籾摺される。
【００２３】
次に、本願発明の特徴である籾ホッパにおける粉塵の吸引機構について、その具体的構成を説明する。図５は、カバーおよびシュートを設けた籾ホッパを備える籾摺選別装置を左側面方向から見た斜視図、図６は籾ホッパ周辺の内部構造を示す左側面模式図、図７は吸引排塵通路と、風選部を吸引する吸引ファンとの接続を示す籾摺選別装置の平面模式図、図８は籾ホッパと吸引排塵通路との間に反射板を備える籾ホッパ周辺の内部構造を示す左側面模式図、図９は籾ホッパの前後に備えた吸引排塵通路を示す籾ホッパを上方から見た斜視図、図１０は籾ホッパの前後に備えた吸引排塵通路を示す籾ホッパを前方から見た斜視図である。
【００２４】
籾ホッパ２への籾などの供給方法は、上述したように上部が開口された籾ホッパ２に直接籾を投入することもできるが、乾燥などの前処理を施した原料穀粒の籾および籾還元スロワ１６による返り籾の還元投入時に、これら籾などから粉塵が発生するため、作業者がこの粉塵を吸い込まないように、籾ホッパ２の上面にカバー体２５が覆設される。
【００２５】
このカバー体２５の適宜位置には、空気取入口として、複数（数は限定されない）の穀粒が通過できない程度の小さな通機孔３２が設けられる。また、カバー体２５の中央近傍には、それぞれ図示しない籾袋や前処理装置に一端が接続される、例えば円筒状などの、籾ホッパ２に籾を投入するためのシュート２６の他端部が挿通される。なお、カバー２５やシュート２６は、例えば金属製や樹脂製などから構成されるが、材質は特に限定されない。
【００２６】
しかし、上述のようなカバー体２５やシュート２６を備える籾ホッパ２では、この籾ホッパ２への籾などの供給時に発生する粉塵を、作業者が吸い込むことはないが、籾ホッパ２内で発生した粉塵が、籾ホッパ２内に堆積したり、籾摺部１１に落下して籾摺ロール１１ｃに付着するなどして、これら粉塵が、籾摺部１１への籾などの円滑な供給や、籾摺ロール１１ｃによる脱ぷ処理を妨げる結果、籾摺作業に悪影響を及ぼす。
【００２７】
そこで、本願発明の籾摺選別装置１では、揺動選別部１８で選別された返り籾と、粃搬送装置７によって搬送されてきた粃とを合流させた穀粒を、籾還元スロワ１６により籾ホッパ２内に還元するための還元通路２８内の上部に、粉塵を吸引する、還元通路２８とは別の通路である吸引排塵通路２９が設けられる。
【００２８】
これは、図６に示すように、籾ホッパ２の後部側方に備えられた、籾ホッパ２に連通される、上方をカバー体２５に連設するカバー体２７で覆設された還元通路２８内の上部、かつ前部であって、この還元通路２８内の上部を前後方向に仕切るように、還元通路２８の左右幅に略等しい吸引排塵通路２９が、還元通路２８に沿って、この還元通路２８の中途部まで設けられる。従って、カバー体２７が、還元通路２８および吸引排塵通路２９の上方を覆うように設けられる。
【００２９】
なお、吸引排塵通路２９は、既存の還元通路２８内に設けることが、別途設置場所を必要とせず、コンパクトな籾摺選別装置１にできるとともに、容易な設置によるコストダウンや生産性向上の点から好ましいが、この吸引排塵通路２９は上記に限定されず、設置箇所や形状、大きさなど適宜設計変更することができる。
【００３０】
さらに、還元通路２８内であって、吸引排塵通路２９に隣接させて、籾ホッパ２に供給されて反射したり、吸引排塵通路２９方向に吸引された原料穀粒と、還元通路２８から還元されてきた返り穀粒とが合流する、籾ホッパ２の底部に連通した合流部３７が設けられる。
【００３１】
また、吸引排塵通路２９下端部近傍の右側部に設けられた開口部２９ａは、図７に示すように、配管やホースなどの連結部材３３の一端が接続されるとともに、この連結部材３３の他端は、籾摺選別装置１内の前部に配設された、風選部１２で籾殻などを吸引除去するための吸引ファン１３の吸引口１３ａに接続される。なお、図７は、カバー体２５およびカバー体２７を取り除いたものである。
【００３２】
ここで、乾燥などの前処理を施した原料穀粒の籾を、シュート２６を介して籾ホッパ２に供給する際、シュート２６内を移送し、籾ホッパ２内に投入されたこれら籾から、籾ホッパ２内に拡散するように発生した粉塵は、吸引ファン１３の吸気によって籾ホッパ２の後部に誘導され、風路３１を通過して吸引排塵通路２９の上部から開口部２９ａを介して吸引排塵通路２９内に吸引された後、機外に排出される。
【００３３】
このとき、籾ホッパ２に供給されて反射したり、吸引ファン１３の吸引力によって粉塵とともに吸引排塵通路２９の近傍まで吸引された籾ホッパ２内の籾は、還元通路２８から還元されてきた返り穀粒とともに、それら自重により合流部３７に落下し、籾ホッパ２内の底部から下方に有する籾摺部１１に供給される。このため、籾が吸引排塵通路２９から機外に排出されることはない。
【００３４】
そして、上述のように、揺動選別部１８および粃搬送装置７からの籾や粃などの返り穀粒が、籾還元スロワ１６により還元通路２８を介して籾ホッパ２に還元されるが、この返り穀粒が還元通路２８の上端部の返り穀粒口３４から放出され、合流部３７を介して籾ホッパ２に落下する際にも、これら返り穀粒から粉塵が発生し、拡散される。
【００３５】
このとき、返り穀粒口３４から籾ホッパ２側に放出された返り穀粒は、上方に放出された慣性力と自重により略円弧を描きながら合流部３７に落下される。なお、吸引排塵通路２９の上端に、籾や粃が通過できない程度のサイズを有する不図示のネットを前低後高に覆設してもよい。このような構成にすることで、返り穀粒口３４から上方に放出された返り穀粒が、上記のように吸引排塵通路２９で落下した場合、前記ネットにより合流部３７に滑落される。
【００３６】
一方、返り穀粒口３４から籾ホッパ２側に放出された、返り穀粒から発生する粉塵は、吸引ファン１３の吸引力によって吸引排塵通路２９の上端から開口部２９ａを介して吸引排塵通路２９内に吸引され、機外に排出される。
【００３７】
このような構成により、籾ホッパ２内に原料穀粒を投入した際や、還元通路２８から返り穀粒が籾ホッパ２内に還元される際に発生する粉塵を吸引排塵通路２９から吸引除去して、籾ホッパ２内や籾摺部１１への粉塵の堆積を防止することができる。また、粉塵の吸引通路を籾ホッパ２の側方などに別途設ける必要がなく、コンパクトな装置にすることができる。さらには、別途吸引ファンを設ける必要もなく、風選部１２に用いる既存の吸引ファン１３を利用して、粉塵を吸引除去することができる。そして、籾ホッパ２の上面には、この籾ホッパ２と、還元通路２８と、吸引排塵通路２９と、を覆うカバー体２５，２７を備えるので、籾ホッパ２内および返り穀粒口３４近傍に発生する粉塵が周囲に拡散することなく、その粉塵を効率よく吸引除去することができる。
【００３８】
なお、図８に示すように、吸引排塵通路２９の上部前方には、吸引排塵通路２９の左右幅に略等しい、金属または樹脂などからなる（限定されない）反射板３０を、前低後高の姿勢で還元通路２８の側壁に取付けてもよい。この反射板３０の上端と、還元通路２８上面のカバー体２７との間には、籾などが通過できない程度の隙間を有する風路３１´を有する構成とされる。
【００３９】
この場合、籾ホッパ２に供給されて反射したり、吸引ファン１３の吸引力によって粉塵とともに籾ホッパ２内の籾が吸引されたとしても、これら籾は、反射板３０の上端と、還元通路２８上面のカバー体２７との間の狭い風路３１を吸引排塵通路２９側に通り抜けることができず、反射板３０上部などに衝突して籾ホッパ２内の下方に落下するため、籾が吸引排塵通路２９から機外に排出されることはない。なお、還元通路２８からの返り穀粒は、上述同様に粉塵が吸引排塵通路２９の開口部２９ａから吸引されて機外に排出されるとともに、この返り穀粒のみが合流部３７を介して籾摺部１１に落下される。
【００４０】
さらに、吸引排塵通路を複数設置してもよい。この場合、図９〜１０に示すように、籾ホッパ２の内側であって、籾ホッパ２の外枠を形成する前板２ａと後板２ｂのそれぞれの内側面に沿って中途部まで、一端部を開口した吸引排塵通路３８ａ，３９ａが設けられる。この吸引排塵通路３８ａ，３９ａの他端部は開口してもよく、また、開口部には穀粒を通過させない程度のメッシュを有するネットを装着させてもよい。なお、図９〜１０では、吸引排塵通路３８ａ，３９ａの位置を示し、説明をし易くするために、カバー体２５，２７および還元通路２８などを取り除いたものである。
【００４１】
次いで、吸引排塵通路３８ａ，３９ａにおける中途部の底部には、機体下方に向けて延設される吸引排塵通路３８ｂ，３９ｂの上端部が吸引排塵通路３８ａ，３９ａに連通して接続される。なお、吸引排塵通路３８ｂ，３９ｂの下端部は、吸引ファン１３の吸引口１３ａなどに接続される。
【００４２】
このような構成にすることで、籾ホッパ２内および返り穀粒口３４から発生する粉塵の量が特に多い場合でも、これら粉塵を、籾ホッパ２内の前後２箇所に有する吸引排塵通路３８ａ，３９ａから吸引排塵通路３８ｂ，３９ｂを介して吸引ファン１３により吸引させることができ、粉塵を確実、かつ迅速に吸引除去することができる。
【００４３】
以上詳述したように、この例の籾摺選別装置１は、籾ホッパ２に供給した原料穀粒を、籾ホッパ２の下方に有する籾摺ロール１１ｃで摺る籾摺部１１と、籾摺部１１で処理した穀粒を、吸引ファン１３により風選する風選部１２と、風選部１２で風選した穀粒をさらに選別する揺動選別部１８とを備え、籾ホッパ２の側方に設けた、揺動選別部１８で選別した返り穀粒を籾ホッパ２に還元する還元通路２８内に、籾ホッパ２からの穀粒と、返り穀粒との合流部３７を設けるとともに、吸引ファン１３に接続した吸引排塵通路２９を備え、籾ホッパ２と、還元通路２８と、吸引排塵通路２９と、をカバー体２５，２７で覆設し、籾ホッパ２上面のカバー体２５には、原料穀粒を供給するシュート２６の一端部を貫設するものである。加えて、吸引排塵通路３８ａ，３９ａ，３８ｂ，３９ｂは、籾ホッパ２の前後板２ａ，２ｂの内側面を介してそれぞれ下方に延設する。また、籾ホッパ２と、吸引排塵通路２９との間には、反射板３０を備える。
【図面の簡単な説明】
【００４４】
【図１】本発明の籾摺選別装置の左側面図である。
【図２】籾摺選別装置を左前方から見た斜視図である。
【図３】籾摺選別装置の平面図である。
【図４】籾摺選別装置の内部構造を示す側面模式図である。
【図５】カバーおよびシュートを設けた籾ホッパを備える籾摺選別装置を左側面方向から見た斜視図である。
【図６】籾ホッパ周辺の内部構造を示す左側面模式図である。
【図７】吸引排塵通路と、風選部を吸引する吸引ファンとの接続を示す籾摺選別装置の平面模式図である。
【図８】籾ホッパと吸引排塵通路との間に反射板を備える籾ホッパ周辺の内部構造を示す左側面模式図である。
【図９】籾ホッパの前後に備えた吸引排塵通路を示す籾ホッパを上方から見た斜視図である。
【図１０】籾ホッパの前後に備えた吸引排塵通路を示す籾ホッパを前方から見た斜視図である。
【符号の説明】
【００４５】
１    籾摺選別装置
２    籾ホッパ
７    粃搬送装置
１１    籾摺部
１２    風選部
１３    吸引ファン
１３ａ    吸引口
１８    揺動選別部
２６，２６´    シュート
２５，２７    カバー体
２８    還元通路
２９，３８ａ，３９ａ，３８ｂ，３９ｂ    吸引排塵通路
２９ａ    開口部
３０    反射板
３１，３１´    風路
３２    通気孔
３３    連結部材
３４    返り穀粒口
３７    合流部
【図１】
2009125732.tif 000003
【図２】
2009125732.tif 000004
【図３】
2009125732.tif 000005
【図４】
2009125732.tif 000006
【図５】
2009125732.tif 000007
【図６】
2009125732.tif 000008
【図７】
2009125732.tif 000009
【図８】
2009125732.tif 000010
【図９】
2009125732.tif 000011
【図１０】
2009125732.tif 000012